(57)【特許請求の範囲】
【請求項１】
回転させることで第１及び第２の操作を行うことができる回転操作手段と、前記回転操作手段の上面もしくは側面に設けられ使用者の接触状態を検知する検知手段とからなり、前記検知手段で使用者の接触を検知した時に前記回転操作手段を操作した時には第１の操作を行い、前記検知手段で使用者の接触を検知していない時に前記回転操作手段を操作した時には第２の操作を行うことを特徴とする操作装置。
【請求項２】
さらに、前記回転操作手段の回転に伴いＯＮ／ＯＦＦ動作を行うスイッチと、を設けた請求項１に記載の操作装置。
【請求項３】
前記スイッチが前記回転操作手段の上面にある場合において、前記第１の操作は、ジョグモードによる操作であり、前記第２の操作は、シャトルモードによる操作である、請求項１または２のいずれかに記載の操作装置。
【請求項４】
前記スイッチが前記回転操作手段の側面にある場合において、前記第１の操作は、シャトルモードによる操作であり、前記第２の操作は、ジョグモードによる操作である、請求項１または２のいずれかに記載の操作装置。
【請求項５】
さらに、前記回転操作手段の略中心に配された方向指示操作手段と、を設けた請求項１乃至４のいずれかに記載の操作装置。
【発明の詳細な説明】
【０００１】
【発明の属する技術分野】
本発明は、各種ＡＶ機器や家電製品を遠隔操作することができるリモコン装置に利用して有効な操作装置に関するものである。
【０００２】
【従来の技術】
近年、操作装置の代表的存在であるリモコン装置には、ＡＶ機器の操作性向上のために、ジョグシャトルと呼ばれる回転操作部を設けることによって、著しい操作性向上を図ることができている。最近では、ジョグシャトルを上下に変位させることで、操作の切り換えを行うようなものが、例えば実開平３−７８２１６号や実開平５−４３３３５号のように出ている。
【０００３】
以下、従来の操作装置について説明する。図６は従来の操作装置の構成を示す分解斜視図である。
【０００４】
図６において、７０はジョグシャトル装置、６１はジョグシャトル装置７０の上面略中心に配され回転自在に設けられた回転軸、６２は回転軸６１と同軸位置に配され半回転する半回転軸、７１はジョグシャトル装置７０の側面に突設し回転軸６１の回転に応じた信号を外部へ出力するための端子、２００はジョグシャトル装置７０を上面から覆う回転部で、シャトル回転部２０２とジョグ回転部２０３とからなる。シャトル回転部２０２は半回転軸６２と係合し、原点位置を中心に約１８０度の回転角を有する。また、ジョグ回転部２０３はその内面に係合部を有し、回転軸６１と係合して、時計方向及び反時計方向に回転可能に設けられる。２０１は回転部２００の上面に設けられた凹部で、使用者はここへ指（例えば人差し指）を挿入し、ジョグ回転部２０３に対して回転力を与えることで、ジョグ動作を快適に行うことができる。
【０００５】
以上のように構成された従来の操作装置について、以下その動作について説明する。
【０００６】
まず、本装置を組み立てる時は、ジョグシャトル装置７０に対して、上方向から回転部２００を覆い被せる。この時、ジョグ回転部２０３の内部に設けられてる係合部（図示せず）と、ジョグシャトル装置７０の上面に突出した回転軸６１とを係合させる。また、シャトル回転部２０２と半回転軸６２とも係合させる。
【０００７】
このようにして組み立てられた本装置を操作する際は、まず、リモコン上に別途設けられたジョグシャトルボタン（図示せず）を押して、ジョグシャトルモードにする。そして、ジョグ回転部２０３を時計方向または反時計方向に回転させることで、回転軸６１も回転し、回転軸６１の回転によって発生した信号が端子７１から、外部に設けられた回路（図示せず）に出力される。
【０００８】
ジョグ回転部２０３を回転させてジョグ動作を行った時は、テレビジョン受像器の画面上では、コマ送り動作が行われている。ジョグシャトル装置７０内に設けられたスイッチにより、１回スイッチをＯＮにすることで、１コマ（１フレーム）の画像を送ることができる。時計方向に回転させた時は、正方向へのコマ送り、反時計方向に回転させた時は逆方向へのコマ送りが行われる。
【０００９】
また、シャトル回転部２０２を時計方向または反時計方向に回転させた時は、シャトル回転部２０２に係合した半回転軸６２も回転する。なお、半回転軸６２は、原点位置を中心に時計方向及び反時計方向それぞれに９０度ずつしか回転しない。シャトル回転部２０２を回転させてシャトル動作を行った時は、テレビジョン受像器の画面上では、早送り／巻き戻し再生及びスロー再生が行われる。
【００１０】
【発明が解決しようとする課題】
しかしながら上記従来の構成では、ジョグシャトル装置が非常に大きな部品であり、内部構成上、小型化が困難であるがために、リモコン装置として小型化をするのは非常に困難であった。また、部品点数が多いのも装置の小型化を阻害していた。
【００１１】
本発明は上記問題点を鑑み、ジョグシャトル装置の構成を簡単な構成にすることができるので、リモコンの小型化ができるとともに薄型化も実現できる操作装置を提供することを目的とする。
【００１２】
【課題を解決するための手段】
上記目的を達成するために本発明の操作装置は、回転させることで第１及び第２の操作を行うことができる回転操作手段と、前記回転操作手段の回転に伴いＯＮ／ＯＦＦ動作を行うスイッチと、前記回転操作手段に設けられ使用者の接触状態を検知する検知手段とからなり、前記検知手段で使用者の接触を検知した時に前記回転操作手段を操作した時には第１の操作を行い、前記検知手段で使用者の接触を検知していない時に前記回転操作手段を操作した時には第２の操作を行うものである。
【００１３】
そしてこのような構成により、ジョグシャトル装置の構成を簡単な構成にすることができるので、リモコンの小型化ができるとともに薄型化も実現できる操作装置を提供するものである。
【００１４】
【発明の実施の形態】
本発明の第１の記載の発明は、回転させることで第１及び第２の操作を行うことができる回転操作手段と、前記回転操作手段の回転に伴いＯＮ／ＯＦＦ動作を行うスイッチと、前記回転操作手段に設けられ使用者の接触状態を検知する検知手段とからなり、前記検知手段で使用者の接触を検知した時に前記回転操作手段を操作した時には第１の操作を行い、前記検知手段で使用者の接触を検知していない時に前記回転操作手段を操作した時には第２の操作を行うものであり、このような構成により、操作装置を小型化でき、それに伴いリモコン装置を小型化できるとともに、操作性を向上できるという作用を有する。
【００１５】
本発明の第２の発明は、回転させることで第１及び第２の操作を行うことができる回転操作手段と、前記回転操作手段の略中心に配された方向指示操作手段と、前記回転操作手段の回転に伴いＯＮ／ＯＦＦ動作を行うスイッチと、前記回転操作手段に設けられ使用者の接触状態を検知する検知手段とからなり、前記検知手段で使用者の接触を検知した時に前記回転操作手段を操作した時には第１の操作を行い、前記検知手段で使用者の接触を検知していない時に前記回転操作手段を操作した時には第２の操作を行うものであり、このような構成により、方向指示操作手段を設けて操作性をさらに向上させても、装置全体が大幅に大型化することがないという作用を有する。
【００１６】
以下、本発明の実施の形態について、図面を用いて説明する。
【００１７】
（実施の形態１）
図１は本発明の実施の形態１の操作装置を用いたリモコン装置の構成を示す上面図、図２は同実施の形態における操作装置の分解斜視図、図３は同実施の形態の信号の流れを示すブロック図、図４はジョグシャトルの底面図を示すものである。図１において、１は例えばビデオテープレコーダーなどの被制御機器に対して制御信号を赤外線などの無線信号で送信するリモコン、２は予約録画の設定や再生・早送りなどの各種操作が可能な操作釦で、リモコン１の上面または裏面に複数個設けられている。３は矢印Ａ方向のように時計方向または反時計方向に回転させることで早送り再生やコマ送りなどの操作が行える回転操作手段であるジョグシャトルで、その内面には図４に示すように多数の突起部３ａが設けられており、ジョグシャトル３が回転することでこの突起部３ａがスイッチ６に対して当接してＯＮ／ＯＦＦ動作を繰り返すようになっている。４はジョグシャトル３の上面に設けられた検知手段であるセンサーで、使用者の指が挿入できるように形状はわずかに窪んだ形状とし、使用者が回転力を容易にジョグシャトル３へ伝達できるようにしている。また、このセンサー４は使用者の体の一部（本例では指）が触れたことを検知するようになっていて、この検知結果によってジョグ動作を行うかシャトル動作を行うかを切り換えるようにしている。さらに、このセンサーに用いるセンサー装置として、温度検出による感温センサーや、指の押圧力を検知する感圧センサーなどを用いた。本実施の形態では、センサー４にて指などの接触状態を検知している時にはジョグモード、検知していない時にはシャトルモードとなるようにした。これも、本実施の形態の一つであって、センサー４にて検知している時にシャトルモード、検知していないときにはジョグモードとしてもよい。
【００１８】
図２において、５はジョグシャトル３や他の回路が実装されたプリント基板、６はジョグシャトル３が回転することでジョグシャトル３の内面に複数設けられた突起部３ａにより、回転に伴いＯＮ／ＯＦＦのスイッチング動作が行われるスイッチである。ここで、スイッチ６は例えば２ウェイディテクタスイッチなどのように、通常状態でＯＦＦとなり、２方向にＯＮ動作をすることができるスイッチが用いられる。このスイッチはあくまで一実施の形態であって、同様の動作をするものであれば、他のスイッチを用いてよいことは言うまでもない。
【００１９】
ここで、ジョグモードとは、使用者がセンサー４に指を当接させてジョグモードにし、ジョグシャトル３を回転させることで、突起部３ａがスイッチ６を１回ＯＮにすることでテレビジョン受像器上の映像が１コマ（１フレーム）づつ正方向または逆方向に送ることができるモードである。また、シャトルモードとは、使用者がセンサー４に触れずにジョグシャトル３を回転させることで、早送り再生や巻き戻し再生やスロー再生などを行うことができるモードであり、正方向及び逆方向に、それぞれスロー再生から早送り再生まで７段階づつ速度を可変することができるようになっている。
【００２０】
例えば、ジョグシャトル３を少し正方向回転させて突起部３ａが１回スイッチ６をＯＮにすると、画面上では最低速度のスロー再生が始まり、さらに回転させて２つ目の突起部がスイッチ６を２回目のＯＮにすると、前述のスロー再生より少し速いスロー再生を行う。同様に、３回目でさらに速いスロー再生、４回目で通常再生、５回目でやや速い早送り再生、さらに６回目、７回目と速くなる早送り再生が行われる。本実施の形態では、全部で７段階の変速再生を可能にしたが、段階数は７に限られるものではない。また、ジョグシャトル３は正方向及び逆方向に１回転するような構成となっていて、ジョグモードの時は、テープがある限り無限数のコマ送りが可能であるが、シャトルモードの時は、予め設定された段階数のみ操作が可能で、設定以上の操作を行っても、最大速度（最高速度の早送り再生）または最低速度（最低速度のスロー再生）で固定動作となる。
【００２１】
図３において、３１は図１及び図２における検知手段であるセンサー、３２は図２におけるスイッチ、３３はセンサー３１とスイッチ３２からの信号によりジョグモードであるかシャトルモードであるかを判別して制御する制御手段である制御部、３４は制御部３３からのジョグ制御信号によりジョグ信号を生成して出力するジョグ信号生成手段であるジョグ信号生成部で、ジョグ信号とはコマ送り動作を制御する信号である。３５は制御部３３からのシャトル制御信号によりシャトル信号を生成して出力するシャトル信号生成手段であるシャトル信号生成部で、シャトル信号とは早送り・巻き戻し再生やスロー再生などを制御する信号である。３６はジョグ信号生成部３４からのジョグ信号かシャトル信号生成部３５からのシャトル信号により内部回路の動作制御を行う動作手段である動作部である。
【００２２】
以上のように構成された本実施の形態の操作装置について、以下その動作について説明する。
【００２３】
まず、ジョグモードの動作について説明する。
【００２４】
ジョグモードは、ジョグシャトル３の上面に設けられたセンサー４で、使用者の指が触れたことを検知した状態で、ジョグシャトル３を時計方向または反時計方向に回転させることで操作することができる。
【００２５】
まず、リモコン１の操作釦２の中の再生釦を押すことで、ビデオテープを再生モードにする。この状態からジョグシャトル３を時計方向に少し回転させると、突起部３ａがスイッチ６を１回ＯＮにする。すると、テレビジョン受像器の画面上では、再生中の映像が静止画として一時停止する。さらにジョグシャトル３を時計方向に少し回転させて、２つ目の突起部３ａがスイッチ６を２回目のＯＮ動作を行うと、画面上では映像が１コマ送られることになる。同様に、ジョグシャトル３を回転させていくと、突起部３ａがスイッチ６をＯＮにする毎に、映像が１コマずつ送られていくようになる。いわゆるコマ送り再生が可能になる。ジョグシャトル３を反時計方向に回転させた時も同様で、突起部がスイッチ６を、逆方向にＯＮ動作することにより、逆方向に映像が１コマずつ送られていくこととなる。
【００２６】
上記動作を図３を用いて説明する。まず、センサー３１で使用者が触れたことを検知すると、その検知信号が制御部３３に入力される。そして使用者がジョグシャトルを回転させると、スイッチ３２がＯＮとなりその信号が制御部３３に入力される。制御部３３では、センサー３１とスイッチ３２からの両方の信号が入力されているため、ジョグモードであると判断し、ジョグ信号生成部３４にジョグ信号を生成するよう制御信号を出力する。ジョグ信号生成部３４はその制御信号により、コマ送り動作を行うようなジョグ信号を生成して動作部３６に出力し、動作部３６はジョグ信号により、内部回路やメカニズムに対してコマ送り動作を行うように動作制御する。
【００２７】
次に、シャトルモードの動作について説明する。
【００２８】
シャトルモードは、使用者がセンサー４に触れない状態で、ジョグシャトル３を時計方向または反時計方向に回転させることで操作することができる。
【００２９】
まず、操作釦２の中の再生釦を操作してビデオテープを再生状態にし、次にジョグシャトル３を時計方向に少し回転させると、１つ目の突起部３ａがスイッチ６が１回目のＯＮ状態となり、この時シャトルモードがＯＮとなって、テレビジョン受像器の画面上では映像が、最低速度のスロー再生が始まる。さらにジョグシャトル３を時計方向に回転させ、２つ目の突起部３ａがスイッチ６を２回目のＯＮ状態にすると、前述のスロー再生よりもわずかに速いスロー再生が行われる。同様に３回目のスイッチング動作でさらに速いスロー再生、４回目のスイッチング動作で通常再生となる。さらに、ジョグシャトル３を回転させて５回目のスイッチング動作が行われると、通常再生よりも速い早送り再生となる。６回目のスイッチング動作でさらに速い早送り再生、７回目のスイッチング動作で最高速度の早送り再生を行うことができる。
【００３０】
上記動作を図３を用いて説明する。まず、センサー３１で使用者が触れたことを検知しない状態で使用者がジョグシャトルを回転させると、スイッチ３２がＯＮとなり、スイッチ３２からの信号のみが制御部３３に入力される。制御部３３では、スイッチ３２からの信号のみが入力されているため、シャトルモードであると判断し、シャトル信号生成部３５にシャトル信号を生成するよう制御信号を出力する。シャトル信号生成部３５はその制御信号により、早送り・巻き戻し再生やスロー再生などのシャトル動作を行うようなシャトル信号を生成して動作部３６に出力し、動作部３６はシャトル信号により、内部回路やメカニズムに対して、早送り・巻き戻し再生やスロー再生などの動作を行うように動作制御する。
【００３１】
なお、本実施の形態では、スロー３段階と早送り再生３段階と通常再生の、合計７段階の変速再生を行っているため、７段階目の最高速度の早送り再生においてさらにジョグシャトル３を回転させても、最高速度のままで固定速度となる。
【００３２】
一方、通常再生状態からジョグシャトル３を反時計方向に回転させると、逆スロー再生が始まり、反時計方向にさらに回転させスイッチ６を逆方向にスイッチングしていくことで、３段階の逆スロー再生、通常逆再生、３段階の巻き戻し再生の、合計７段階の逆方向変速再生が可能となる。この例においても、７段階の逆変速再生となっており、最高速の巻き戻し再生状態からさらにジョグシャトル３を反時計方向に回転させても、最高速の巻き戻し再生のまま固定速度となる。シャトルモードを中止するときは、操作釦２の中の例えば再生ボタンを押すことでリセットされる。
【００３３】
以上のように本実施の形態によれば、ジョグシャトル３の上面にセンサー４を設けて、使用者が触れているか否かを検知して、ジョグモードとシャトルモードとを切り換えるような構成にしたことにより、操作性が向上できるとともに、構成が簡素化でき、装置を小型化することができる。また、従来から設けてあった、ジョグ操作のためのくぼみにセンサー４を設けたので、ジョグシャトル上においてセンサーのためのスペースを設ける必要がなく、装置を大型化せずにすむものである。
【００３４】
なお、本実施の形態では、ジョグシャトル上面にセンサーを設けた構成としたが、センサーを設ける位置はジョグシャトル上面に限定されるものではなく、例えば、ジョグシャトルの側面全周をセンサーとして、シャトル動作を検知するようにしても、操作性が向上できる。
【００３５】
（実施の形態２）
以下、本発明の第２の実施の形態について図２〜図５を用いて説明する。図５は同実施の形態の操作装置を用いたリモコン装置の上面図を示すものである。図５において、１は例えばビデオテープレコーダーなどの被制御機器に対して制御信号を赤外線などの無線信号で送信するリモコン、２は予約録画の設定や再生・早送りなどの各種操作が可能な操作釦で、リモコン１の上面または裏面に複数個設けられている。１１は矢印Ｂ方向のように時計方向または反時計方向に回転させることで早送り再生やコマ送りなどの操作が行える回転操作手段であるジョグシャトルで、その内面には実施の形態１と同様に、図４に示すように多数の突起部が設けられており、ジョグシャトル１１が回転することでこの突起部がスイッチ６に対して当接してＯＮ／ＯＦＦ動作を繰り返すようになっている。１２はジョグシャトル１１の上面に設けられた検知手段であるセンサーで、使用者の指が挿入できるように形状はわずかに窪んだ形状とし、使用者が回転力を容易にジョグシャトル１１へ伝達できるようにしている。また、このセンサー１２は使用者の体の一部（本例では指）が触れたことを検知するようになっていて、この検知結果によってジョグ動作を行うかシャトル動作を行うかを切り換えるようにしている。さらに、このセンサー１２に用いるセンサー装置として、温度検出による感温センサーや、指の押圧力を検知する感圧センサーなどを用いた。本実施の形態では、センサー１２にて指などの接触状態を検知している時にはジョグモード、検知していない時にはシャトルモードとなるようにした。これも、本実施の形態の一つであって、センサー４にて検知している時にシャトルモード、検知していないときにはジョグモードとしてもよい。１３はジョグシャトル１１の略中心に設けられた方向指示操作手段であるカーソルキーで、上下左右方向に押圧してテレビジョン受像器の画面上に表示されるカーソルやポインタを操作することができる。
【００３６】
以上のように構成された本実施の形態の操作装置について、以下その動作について説明する。
【００３７】
まず、ジョグモードの動作について説明する。
【００３８】
ジョグモードは、ジョグシャトル１１の上面に設けられたセンサー１２で、使用者の指が触れたことを検知した状態で、ジョグシャトル１１を時計方向または反時計方向に回転させることで操作することができる。
【００３９】
まず、リモコン１の操作釦２の中の再生釦を押すことで、ビデオテープを再生モードにする。この状態からジョグシャトル１１を時計方向に少し回転させると、突起部３ａがスイッチ６を１回ＯＮにする。すると、テレビジョン受像器の画面上では、再生中の映像が静止画として一時停止する。さらにジョグシャトル１１を時計方向に少し回転させて、２つ目の突起部３ａがスイッチ６に対して２回目のＯＮ動作を行うと、画面上では映像が１コマ送られることになる。同様に、ジョグシャトル１１を回転させていくと、突起部３ａがスイッチ６をＯＮにする毎に、映像が１コマずつ送られていくようになる。いわゆるコマ送り再生が可能になる。ジョグシャトル１１を反時計方向に回転させた時も同様で、突起部がスイッチ６を、逆方向にＯＮ動作することにより、逆方向に映像が１コマずつ送られていくこととなる。
【００４０】
上記動作を図３を用いて説明する。まず、センサー３１で使用者が触れたことを検知すると、その検知信号が制御部３３に入力される。そして使用者がジョグシャトルを回転させると、スイッチ３２がＯＮとなりその信号が制御部３３に入力される。制御部３３では、センサー３１とスイッチ３２からの両方の信号が入力されているため、ジョグモードであると判断し、ジョグ信号生成部３４にジョグ信号を生成するよう制御信号を出力する。ジョグ信号生成部３４はその制御信号により、コマ送り動作を行うようなジョグ信号を生成して動作部３６に出力し、動作部３６はジョグ信号により、内部回路やメカニズムに対してコマ送り動作を行うように動作制御する。
【００４１】
次に、シャトルモードの動作について説明する。
【００４２】
シャトルモードは、使用者がセンサー１２に触れない状態で、ジョグシャトル１１を時計方向または反時計方向に回転させることで操作することができる。
【００４３】
まず、操作釦２の中の再生釦を操作してビデオテープを再生状態にし、次にジョグシャトル１１を時計方向に少し回転させると、１つ目の突起部３ａがスイッチ６を１回目のＯＮ状態にし、この時シャトルモードがＯＮとなって、テレビジョン受像器の画面上では映像が、最低速度のスロー再生が始まる。さらにジョグシャトル１１を時計方向に回転させ、２つ目の突起部３ａがスイッチ６を２回目のＯＮ状態にすると、前述のスロー再生よりもわずかに速いスロー再生が行われる。同様に３回目のスイッチング動作でさらに速いスロー再生、４回目のスイッチング動作で通常再生となる。さらに、ジョグシャトル１１を回転させて５回目のスイッチング動作が行われると、通常再生よりも速い早送り再生となる。６回目のスイッチング動作でさらに速い早送り再生、７回目のスイッチング動作で最高速度の早送り再生を行うことができる。
【００４４】
上記動作を図３を用いて説明する。まず、センサー３１で使用者が触れたことを検知しない状態で使用者がジョグシャトルを回転させると、スイッチ３２がＯＮとなり、スイッチ３２からの信号のみが制御部３３に入力される。制御部３３では、スイッチ３２からの信号のみが入力されているため、シャトルモードであると判断し、シャトル信号生成部３５にシャトル信号を生成するよう制御信号を出力する。シャトル信号生成部３５はその制御信号により、早送り・巻き戻し再生やスロー再生などのシャトル動作を行うようなシャトル信号を生成して動作部３６に出力し、動作部３６はシャトル信号により、内部回路やメカニズムに対して、早送り・巻き戻し再生やスロー再生などの動作を行うように動作制御する。
【００４５】
なお、本実施の形態では、スロー３段階と早送り再生３段階と通常再生の、合計７段階の変速再生を行っているため、７段階目の最高速度の早送り再生においてさらにジョグシャトル１１を回転させても、最高速度のままで固定速度となる。
【００４６】
一方、通常再生状態からジョグシャトル１１を反時計方向に回転させると、逆スロー再生が始まり、反時計方向にさらに回転させスイッチ６を逆方向にスイッチングしていくことで、３段階の逆スロー再生、通常逆再生、３段階の巻き戻し再生の、合計７段階の逆方向変速再生が可能となる。この例においても、７段階の逆変速再生となっており、最高速の巻き戻し再生状態からさらにジョグシャトル１１を反時計方向に回転させても、最高速の巻き戻し再生のまま固定速度となる。シャトルモードを中止するときは、操作釦２の中の例えば再生ボタンを押すことでリセットされる。
【００４７】
次に、カーソル動作について説明する。
【００４８】
ジョグシャトル１１の略中心に設けられたカーソルキー１３を、上下左右方向へ操作することで、テレビジョン受像器の画面上に表示されているＯＳＤ（オンスクリーンディスクプレイ）の表示における、カーソルやポインタを任意の方向へ移動させることができる。この機能は、例えば録画予約リストを画面上に表示し、その内容について編集したり各種設定を行ったりする時に有効である。
【００４９】
以上のように本実施の形態によれば、ジョグシャトル１１の動作制御をスイッチ６で行い、ジョグモードとシャトルモードとの切り換えはセンサー１２によって行っているため、ジョグシャトル１１の内部に、カーソルキー１３を設けるスペースを確保できるので、装置を大型化せずにさらなる操作性の向上を図ることができる。
【００５０】
【発明の効果】
以上のように本発明によれば、操作性が向上できるとともに、構成が簡素化でき、装置を小型化・薄型化することができるという優れた効果を奏することができるものである。
【図面の簡単な説明】
【図１】本発明の実施の形態１の操作装置を用いたリモコン装置の上面図
【図２】同実施の形態におけるジョグシャトル周辺の分解斜視図
【図３】同実施の形態における信号の流れを示すブロック図
【図４】同実施の形態におけるジョグシャトルの底面図
【図５】本発明の実施の形態２の操作装置を用いたリモコン装置の上面図
【図６】従来の操作装置の構成を示す分解斜視図
【符号の説明】
１  リモコン
３、１１  ジョグシャトル
４、１２、３１  センサー
６、３２  スイッチ
１３  カーソルキー
３３  制御部
３４  ジョグ信号生成部
３５  シャトル信号生成部
３６  動作部
【図１】
0004352538.tif 000002
【図２】
0004352538.tif 000003
【図３】
0004352538.tif 000004
【図４】
0004352538.tif 000005
【図５】
0004352538.tif 000006
【図６】
0004352538.tif 000007